(57)【要約】【課題】巻き取り後、記録媒体の容積増大や、記録媒体の両端部が揃わない、といった不具合を解消することができる画像形成装置を提供する。【解決手段】本発明の画像形成装置は、帯状の記録媒体Ｓを搬送する搬送部（１３）と、前記搬送部（１３）で搬送される前記記録媒体Ｓに対して、所定の単位画像パターンを繰り返して画像形成する画像形成部（１２、１４、１９、１５０）と、前記記録媒体Ｓ上で、前記単位画像パターンが形成された画像形成領域以外の余白領域に、前記記録媒体Ｓを貫通する貫通孔を形成する穿孔ユニット１７０と、前記穿孔ユニット１７０で貫通孔が設けられた前記記録媒体を巻き取る巻き取りローラー３５と、を有することを特徴とする【選択図】図１
2012196786.tif 000002
【特許請求の範囲】
【請求項１】
帯状の記録媒体を搬送する搬送部と、
前記搬送部で搬送される前記記録媒体に対して、所定の単位画像パターンを繰り返して画像形成する画像形成部と、
前記記録媒体上で、前記単位画像パターンが形成された画像形成領域以外の余白領域に、前記記録媒体を貫通する貫通孔を形成する穿孔部と、
前記穿孔部で貫通孔が設けられた前記記録媒体を巻き取る巻き取りローラーと、を有することを特徴とする画像形成装置。
【請求項２】
前記画像形成部により、前記記録媒体の幅方向に繰り返される前記単位画像パターンが形成され、
前記穿孔部により、前記幅方向における前記単位画像パターン同士の間に貫通孔が形成されることを特徴とする請求項１に記載の画像形成装置。
【請求項３】
前記画像形成部により、前記記録媒体の幅方向と直交する直交方向に繰り返される前記単位画像パターンが形成され、
前記穿孔部により、前記直交方向における前記単位画像パターン同士の間に貫通孔が形成されることを特徴とする請求項１又は請求項２に記載の画像形成装置。
【請求項４】
前記穿孔部により形成される貫通孔の密度は、前記記録媒体の幅方向両端部よりも、前記幅方向中央部の方が高いことを特徴とする請求項１乃至請求項３のいずれか１項に記載の画像形成装置。
【請求項５】
前記穿孔部がレーザー光によって前記記録媒体に貫通孔を形成することを特徴とする請求項１乃至請求項４のいずれか１項に記載の画像形成装置。
【請求項６】
前記穿孔部が刃状部材によって前記記録媒体に貫通孔を形成することを特徴とする請求項１乃至請求項４のいずれか１項に記載の画像形成装置。
【請求項７】
画像形成部によって記録媒体に対して、所定の単位画像パターンを繰り返して画像形成する工程と、
穿孔部によって前記単位画像パターンが形成された画像形成領域以外の余白領域に、前記記録媒体を貫通する貫通孔を形成する工程と、
巻き取りローラーによって貫通孔が設けられた前記記録媒体を巻き取る工程と、を有することを特徴とする画像形成方法。
【発明の詳細な説明】
【技術分野】
【０００１】
本発明は、帯状の記録媒体に画像形成を行う画像形成部を有すると共に、画像形成された記録媒体を巻き取る巻き取りローラーを備える画像形成装置及び画像形成方法に関する。
【背景技術】
【０００２】
画像形成装置の一つとしてインクジェットプリンターが知られている。このインクジェットプリンターは、紙や布、フィルムなどの各種媒体に向けて、ヘッドの複数のノズルから液体としてのインクを噴射して印刷を行うものである。
【０００３】
さらに、上記のようなインクジェットプリンターを用いて、帯状の記録媒体に対し、後に切り抜いてラベルとして食品のパッケージに貼着する多数の単位画像を連続して印刷して、これを巻き取りローラーで巻き取る画像形成装置も知られている。
【０００４】
例えば、特許文献１（特開２００３−１１８１３６号公報）には、テープ送り経路（搬送経路）に沿って印刷テープを送り、テープ送り経路の途中位置にある印刷エリアにて印刷テープにインク（液体）を噴射して印刷を行い、テープ送り経路の途中位置にある乾燥エリアにて印刷済みの印刷テープを自然乾燥した後、この自然乾燥した印刷テープを巻き取る画像形成装置が開示されている。
【特許文献１】特開２００３−１１８１３６号公報
【発明の概要】
【発明が解決しようとする課題】
【０００５】
ここで、従来の画像形成装置における印刷済み記録媒体の巻き取り部における問題点について図７に基づいて説明する。図７（Ａ）は記録媒体Ｓを矢印の方向に巻き取っていく状態を示している。記録媒体Ｓは、所定のテンションをかけられつつ、巻き取りローラーなどの回転により巻き取られていくが、このとき、空気を巻き込み、巻き取られた記録媒体Ｓの間に空気が入り込みＢに示すような空隙を作ってしまうこととなる。このような空隙が多数できてしまうと、巻き取り後の記録媒体Ｓの容積が増えたり、巻き取られた記録媒体Ｓの両端部が揃わなかったりする不具合が発生する、という問題があった。
【０００６】
そこで、巻き取り時における空気の巻き込みを防止するために、図７（Ｂ）に示すように記録媒体Ｓにかけるテンションを増やすことも考えられるが、記録媒体Ｓとして薄いフィルムを用いるような場合には、これが伸びてしまう、という問題が発生する。
【０００７】
また、図７（Ｃ）に示すように、巻き込み部を押圧ローラーなどによって押さえ込み、空気の巻き込みを防止することも考えられるが、記録媒体Ｓの印刷面を押圧ローラーで押すこととなり、これによれば、印刷面にダメージを与えてしまう、という問題が発生する。
【課題を解決するための手段】
【０００８】
本発明は上記課題を解決するためのもので、本発明に係る画像形成装置は、帯状の記録媒体を搬送する搬送部と、前記搬送部で搬送される前記記録媒体に対して、所定の単位画像パターンを繰り返して画像形成する画像形成部と、前記記録媒体上で、前記単位画像パターンが形成された画像形成領域以外の余白領域に、前記記録媒体を貫通する貫通孔を形成する穿孔部と、前記穿孔部で貫通孔が設けられた前記記録媒体を巻き取る巻き取りローラーと、を有することを特徴とする。
【０００９】
また、本発明に係る画像形成装置は、前記画像形成部により、前記記録媒体の幅方向に繰り返される前記単位画像パターンが形成され、前記穿孔部により、前記幅方向における前記単位画像パターン同士の間に貫通孔が形成されることを特徴とする。
【００１０】
また、本発明に係る画像形成装置は、前記画像形成部により、前記記録媒体の幅方向と直交する直交方向に繰り返される前記単位画像パターンが形成され、前記穿孔部により、前記直交方向における前記単位画像パターン同士の間に貫通孔が形成されることを特徴とする。
【００１１】
また、本発明に係る画像形成装置は、前記穿孔部により形成される貫通孔の密度は、前記記録媒体の幅方向両端部よりも、前記幅方向中央部の方が高いことを特徴とする。
【００１２】
また、本発明に係る画像形成装置は、前記穿孔部がレーザー光によって前記記録媒体に貫通孔を形成することを特徴とする。
【００１３】
また、本発明に係る画像形成装置は、前記穿孔部が刃状部材によって前記記録媒体に貫通孔を形成することを特徴とする。
【００１４】
また、本発明に係る画像形成方法は、画像形成部によって記録媒体に対して、所定の単位画像パターンを繰り返して画像形成する工程と、穿孔部によって前記単位画像パターンが形成された画像形成領域以外の余白領域に、前記記録媒体を貫通する貫通孔を形成する工程と、巻き取りローラーによって貫通孔が設けられた前記記録媒体を巻き取る工程と、を有することを特徴とする。
【００１５】
以上、本発明の画像形成装置及び画像形成方法においては、単位画像パターンが形成された画像形成領域以外の余白領域に、記録媒体を貫通する貫通孔を形成し、貫通孔が設けられた記録媒体を巻き取るようになっている。このような本発明の画像形成装置及び画像形成方法によれば、巻き取り時において貫通孔から空気が抜けることで、空気の巻き込みを防止することができるので、巻き取り後、記録媒体の容積増大や、記録媒体の両端部が揃わない、といった不具合を解消することができる。
【図面の簡単な説明】
【００１６】
【図１】本発明の実施形態に係る画像形成装置１０の要部を示す図である。
【図２】画像形成装置１０の全体構成のブロック図である。
【図３】本発明の実施形態に係る画像形成装置１０による穿孔動作を示す図である。
【図４】本発明の他の実施形態に係る画像形成装置１０による穿孔動作を示す図である。
【図５】本発明の他の実施形態に係る画像形成装置１０による穿孔動作を示す図である。
【図６】本発明の他の実施形態に係る画像形成装置１０による穿孔動作を示す図である。
【図７】印刷済み記録媒体の巻き取り部における問題点を説明する図である。
【発明を実施するための形態】
【００１７】
以下、本発明の実施の形態を図面を参照しつつ説明する。図１は本発明の実施形態に係る画像形成装置１０の要部を示す図であり、また、図２は画像形成装置１０の全体構成のブロック図である。
【００１８】
画像形成装置１０は、図１における紙面に垂直な方向が長手方向である長尺状のガイド
レール１２を有しており、このガイドレール１２には、キャリッジ１４が支持されている。このキャリッジ１４は、キャリッジ駆動ユニット１４０（図２参照）によって主走査方向をガイドレール１２に沿って往復移動し、帯状の記録媒体Ｓの上を走査するようになっている。
【００１９】
キャリッジ１４には、イエロー（Ｙ）、マゼンタ（Ｍ）、シアン（Ｃ）、ブラック（Ｋ）の各色の色インク（液体）を記録媒体Ｓに噴射するノズル（不図示）を形成してなるヘッドユニット１５０が搭載されている。これらイエロー（Ｙ）、マゼンタ（Ｍ）、シアン（Ｃ）、ブラック（Ｋ）の各色インクは、主として画像記録用インクとして、上位装置であるコンピューター１等から受信した画像データに基づいた所定画像の描画のために用いられる。なお、以下において、イエローやイエローインクのこと「Ｙ」などと略記することがある。また、本実施形態においては、イエロー（Ｙ）、マゼンタ（Ｍ）、シアン（Ｃ）、ブラック（Ｋ）の４色のインクを用いる例について説明しているが、ヘッドユニット１５０で扱い得る色種、色数はこれに限定されるものではない。
【００２０】
コンピューター１は、印刷を行う画像に応じた画像データを、プリンタドライバを介して画像形成装置１０に送る。画像データには、媒体の各画素についてインク色毎にインクを噴射するか否かを示す画素データが含まれている。
【００２１】
本実施形態で使用するインクとしては、例えば、紫外線を照射することにより硬化する紫外線硬化型のＵＶインクを用いることができる。紫外線硬化型のインクとしては、重合性化合物として、ラジカル重合性化合物を含むラジカル重合系インク、カチオン重合性化合物を含むカチオン重合系インク、及びラジカル重合系インクとカチオン重合系インクとを複合させたハイブリッド型インクが適用可能である。なお、インクには、紫外線以外の光で重合して硬化する重合性化合物と、紫外線以外の光、例えば電子線、Ｘ線、赤外線等で重合性化合物同士の重合反応を開始させる光開始剤とが適用されてもよい。
【００２２】
また、本発明による画像形成装置１０に用いられる記録媒体Ｓしては、普通紙、再生紙、光沢紙等の各種紙、各種布地、各種不織布、樹脂、金属、ガラス等の材質からなる記録媒体Ｓが適用可能であるが、本実施形態では、特に、所謂軟包装に用いられる透明又は半透明の非吸収性の樹脂製フィルムが好適に用いられる。
【００２３】
記録媒体Ｓとしての樹脂製フィルムが透明又は半透明媒体である場合、表刷りのみならず裏刷りも可能となる。なお、樹脂製フィルムの樹脂としては、ＰＥＴ（ポリエチレンテレフタレート）、ＰＳ（ポリエステル）、ＰＰ（ポリプロピレン）等が好適に用いられる。
【００２４】
上記のようなヘッドユニット１５０は、コントローラー１１０に接続されており、ヘッドユニット１５０に対しては、インクの噴射を制御するための信号などが送られる。キャリッジ１４の移動可能範囲の中央部分は、記録媒体Ｓに記録を行う記録領域とされており、この記録領域には、記録媒体Ｓを非記録面側から水平に支持するプラテン１９が設けられている。
【００２５】
また、画像形成装置１０には、複数の搬送ローラー１３等により構成され、副走査方向に記録媒体Ｓを送るための記録媒体搬送ユニット１３０（図３参照）が設けられている。記録媒体搬送ユニット１３０は、画像記録時において、キャリッジ１４の動作に合わせて、記録媒体Ｓの搬送と停止とを繰り返して記録媒体Ｓを間欠的に搬送する。
【００２６】
供給ローラー１１は、帯状の記録媒体Ｓを画像形成部に供給するものであり、記録媒体搬送ユニット１３０が記録媒体Ｓを搬送する方向に抵抗するような力が付与されるように
なっており、これにより記録媒体Ｓに所定のテンションが加えられるようになっている。一方、巻き取りローラー３５は、画像形成部で印刷された帯状の記録媒体Ｓを巻き取るものである。この巻き取りローラー３５は、そのローラー軸に取り付けられたモーター（不図示）と、このモーターを制御する巻き取りローラーユニット１３５によって、記録媒体Ｓの巻き取り速度などが制御されるようになっている。また、巻き取りローラーユニット１３５は、上位装置であるコントローラー１１０に接続されており、このコントローラー１１０からの指令に基づいて巻き取りローラー３５を制御するようになっている。
【００２７】
また、画像形成装置１０の筐体上面（不図示）には、例えばタッチパネルにより構成され、ユーザーが選択可能な記録モードを表示するとともに、表示された記録モードをユーザーが選択して入力する入力操作ユニット１２０が設けられている。この入力操作ユニット１２０は、後述のコントローラー１１０に接続されており、所定操作に基づいて選択された記録モードに係る信号をコントローラー１１０に対して出力するようになっている。
【００２８】
図２は、本実施形態における画像形成装置１０を制御するための制御ブロックを示したものであり、この制御ブロックにおけるコントローラー１１０は、たとえば、ＣＰＵ１１１、ＲＯＭ１１２、ＲＡＭ１１３からなり、ＲＯＭ１１２に記録された処理プログラムをＲＡＭ１１３に展開してＣＰＵ１１１によりこの処理プログラムを実行するようになっている。また、インターフェイス１０５は、画像形成装置１０のコントローラー１１０とコンピューター１を接続するために設けられたインターフェイスである。
【００２９】
このコントローラー１１０は、前述の処理プログラムに従い、記録媒体搬送ユニット１３０、巻き取りローラーユニット１３５、キャリッジ駆動ユニット１４０、ヘッドユニット１５０、紫外線照射ユニット１６０、穿孔ユニット１７０等を動作状況等のステータスに基づいて、制御するようになっている。
【００３０】
紫外線照射ユニット１６０は、記録媒体に噴射されたＵＶインクに対して紫外線を照射してＵＶインクを硬化させるための装置である。紫外線照射ユニット１６０の光源としては、例えば、紫外線を発生するＵＶ−ＬＥＤ（Ｕｌｔｒａ  Ｖｉｏｌｅｔ  Ｌｉｇｈｔ  Ｅｍｉｔｔｉｎｇ  Ｄｉｏｄｅ）などによって構成される。そして、コントローラー１１０からの制御により紫外線の照射率が制御できるようになっている。このようにすることで、記録媒体Ｓの各位置おいて紫外線を照射する量を変化させることもできるようになっている。なお、前記光源としては他にメタルハライドランプ、キセノンランプ、カーボンアーク灯、ケミカルランプ、低圧水銀ランプ、高圧水銀ランプ等が利用可能である。
【００３１】
穿孔ユニット１７０は、コントローラー１１０からの制御に基づいて、記録媒体Ｓを貫通する貫通孔を形成すことを可能とするものである。穿孔ユニット１７０としては、例えば、レーザー光を記録媒体Ｓ面に照射することによって記録媒体Ｓに貫通孔を開けるものを採用したり、或いは、刃状部材で記録媒体Ｓを突き通すことによって記録媒体Ｓに貫通孔を開けるものを採用したりすることができる。
【００３２】
記録媒体Ｓ上において、穿孔ユニット１７０が貫通孔をあける領域は、画像形成部によって画像が形成される領域以外の余白に相当する領域を想定している。また、本実施形態に係る画像形成装置１０においては、キャリッジ１４などからなる画像形成部によって、帯状の記録媒体Ｓに対し、後に切り抜いてラベルとして食品のパッケージに貼着する多数の単位画像パターンＲを印刷し、これを巻き取りローラー３５で巻き取る利用形態が想定されている。すなわち、穿孔ユニット１７０は、記録媒体Ｓ上で、単位画像パターンＲが形成された画像形成領域以外の余白領域に、記録媒体Ｓを貫通する貫通孔Ｈを形成する。
【００３３】
上記のように構成される画像形成装置１０によって画像形成される単位画像パターンＲ
と、形成された単位画像パターンＲに基づく穿孔動作の概要について図３を参照して説明する。
【００３４】
図３は本発明の実施形態に係る画像形成装置１０による穿孔動作を示す図である。図３は、記録媒体Ｓがキャリッジ１４などからなる画像形成部を経て、穿孔ユニット１７０を通過し貫通孔Ｈが形成され、さらに巻き取りローラー３５に巻き取られる様子を示す斜視図である。
【００３５】
図３に示す実施形態においては、画像形成部により、記録媒体Ｓの幅方向に繰り返される単位画像パターンＲ（網線がかけられた領域に対応）が形成された場合を示している。さらに、上記のような単位画像パターンＲが形成された領域以外の余白領域に対応する領域において、穿孔ユニット１７０により貫通孔Ｈが開けられる。
【００３６】
より具体的には、穿孔ユニット１７０により、Ｐに示すように、幅方向における単位画像パターンＲ同士の間に貫通孔Ｈが形成されるようになっている。
【００３７】
このように、本実施形態においては、単位画像パターンＲが形成された画像形成領域以外の余白領域に、穿孔ユニット１７０によって、記録媒体Ｓを貫通する貫通孔Ｈを形成し、貫通孔Ｈが設けられた記録媒体Ｓを巻き取りローラー３５によって、巻き取る構成となっている。このため、巻き取り時において貫通孔Ｈから空気が抜けることで、空気の巻き込みを防止することができるので、巻き取り後、記録媒体Ｓの容積増大や、記録媒体Ｓの両端部が揃わない、といった不具合を解消することができる。
【００３８】
なお、図３においては、記録媒体Ｓの幅方向に５つの貫通孔Ｈが設けられる様子を図示したが、記録媒体Ｓに貫通孔Ｈを設けるパターンはこれに限られるものではない。以下、その他のパターンついて説明する。
【００３９】
図４は本発明の他の実施形態に係る画像形成装置１０による穿孔動作を示す図である。図４は、記録媒体Ｓがキャリッジ１４などからなる画像形成部を経て、穿孔ユニット１７０を通過し貫通孔Ｈが形成され、さらに巻き取りローラー３５に巻き取られる様子を示す斜視図である。
【００４０】
図４に示す実施形態においては、画像形成部により、記録媒体Ｓの幅方向と直交する直交方向に繰り返される単位画像パターンＲ（網線がかけられた領域に対応）が形成された場合を示している。さらに、上記のような単位画像パターンＲが形成された領域以外の余白領域に対応する領域において、穿孔ユニット１７０により貫通孔Ｈが開けられる。
【００４１】
より具体的には、穿孔ユニット１７０により、Ｑに示すように、直交方向における単位画像パターンＲ同士の間に貫通孔Ｈが形成されるようになっている。
【００４２】
以上のような他の実施形態においても、単位画像パターンＲが形成された画像形成領域以外の余白領域に、穿孔ユニット１７０によって、記録媒体Ｓを貫通する貫通孔Ｈを形成し、貫通孔Ｈが設けられた記録媒体Ｓを巻き取りローラー３５によって、巻き取る構成となっている。このため、巻き取り時において貫通孔Ｈから空気が抜けることで、空気の巻き込みを防止することができるので、巻き取り後、記録媒体Ｓの容積増大や、記録媒体Ｓの両端部が揃わない、といった不具合を解消することができる。
【００４３】
次に、他の穿孔パターンについて説明する。図５は本発明の他の実施形態に係る画像形成装置１０による穿孔動作を示す図である。図５は、記録媒体Ｓがキャリッジ１４などからなる画像形成部を経て、穿孔ユニット１７０を通過し貫通孔Ｈが形成され、さらに巻き
取りローラー３５に巻き取られる様子を示す斜視図である。
【００４４】
図５に示す実施形態においては、画像形成部により、記録媒体Ｓの幅方向と、幅方向と直交する直交方向の両方の方向に繰り返される単位画像パターンＲ（網線がかけられた領域に対応）が形成された場合を示している。さらに、上記のような単位画像パターンＲが形成された領域以外の余白領域に対応する領域において、穿孔ユニット１７０により貫通孔Ｈが開けられる。
【００４５】
より具体的には、穿孔ユニット１７０により、Ｐに示すように、幅方向における単位画像パターンＲ同士の間に貫通孔Ｈが形成され、さらにＱに示すように、直交方向における単位画像パターンＲ同士の間に貫通孔Ｈが形成されるようになっている。
【００４６】
以上のような他の実施形態によっても、単位画像パターンＲが形成された画像形成領域以外の余白領域に、穿孔ユニット１７０によって、記録媒体Ｓを貫通する貫通孔Ｈを形成し、貫通孔Ｈが設けられた記録媒体Ｓを巻き取りローラー３５によって、巻き取る構成となっている。このため、巻き取り時において貫通孔Ｈから空気が抜けることで、空気の巻き込みを防止することができるので、巻き取り後、記録媒体Ｓの容積増大や、記録媒体Ｓの両端部が揃わない、といった不具合を解消することができる。
【００４７】
図６は本発明の実施形態に係る画像形成装置１０による穿孔動作を示す図である。図６は、記録媒体Ｓがキャリッジ１４などからなる画像形成部を経て、穿孔ユニット１７０を通過し貫通孔Ｈが形成され、さらに巻き取りローラー３５に巻き取られる様子を示す斜視図である。
【００４８】
図６に示す実施形態においては、画像形成部により、記録媒体Ｓの幅方向に繰り返される単位画像パターンＲ（網線がかけられた領域に対応）が形成された場合を示している。さらに、上記のような単位画像パターンＲが形成された領域以外の余白領域に対応する領域において、穿孔ユニット１７０により貫通孔Ｈが開けられる。
より具体的には、穿孔ユニット１７０により、Ｔに示すように、幅方向における単位画像パターンＲ同士の間に貫通孔Ｈが形成されるようになっている。さらに、本実施形態においては、貫通孔Ｈの密度は、記録媒体Ｓの幅方向両端部よりも、幅方向中央部の方が高いようになっている。記録媒体Ｓの幅方向中央部においては、その幅方向両端部よりも、空気を巻き込みつつ巻き取られる確率が高い。そこで、本実施形態においては、先のように貫通孔Ｈの密度を、幅方向中央部の方が高くなるようにして、空気の巻き込みを効率的に防止するようにしている。
【００４９】
このように、本実施形態においては、単位画像パターンＲが形成された画像形成領域以外の余白領域に、穿孔ユニット１７０によって、記録媒体Ｓを貫通する貫通孔Ｈを形成し、貫通孔Ｈが設けられた記録媒体Ｓを巻き取りローラー３５によって、巻き取る構成となっている。このため、巻き取り時において貫通孔Ｈから空気が抜けることで、空気の巻き込みを防止することができるので、巻き取り後、記録媒体Ｓの容積増大や、記録媒体Ｓの両端部が揃わない、といった不具合を解消することができる。
【００５０】
なお、図３乃至図６においては、図示の都合上、目視できる貫通孔Ｈを設ける例で説明したが、空気抜きの貫通孔として機能するのであれば、より小さい穴を開けるようにしてもよい。また、貫通孔としては、より多くの数を開けるようにしてもよいし、貫通孔の形状は円以外のもの（例えば、長孔など）としもよい。いずれにしても、貫通孔を穿孔することで、記録媒体Ｓの強度が落ちて、後工程でのハンドリングに支障がきたされないようにすれば、どのような貫通孔を設けるようにしてもよい。
【００５１】
また、以上の実施形態においては、ヘッドユニット１５０で噴射するインクとしてＵＶインクを用いる例について説明したが、本発明においては、熱硬化型のインクやその他の任意のインクを利用することができる。その場合には、紫外線照射ユニット１６０に代えて、インクを熱硬化するためのユニットを配するようにする。
【００５２】
また、以上の実施形態においては、キャリッジ１４で記録媒体Ｓの幅方向を走査することで、記録媒体Ｓ上に画像形成を行うシリアル方式のインクジェットプリンターを例に説明したが、本発明はこれに限らず、ラインヘッド方式のプリンターも用いることができる。
【００５３】
以上、本発明の画像形成装置及び画像形成方法においては、単位画像パターンが形成された画像形成領域以外の余白領域に、記録媒体を貫通する貫通孔を形成し、貫通孔が設けられた記録媒体を巻き取るようになっている。このような本発明の画像形成装置及び画像形成方法によれば、巻き取り時において貫通孔から空気が抜けることで、空気の巻き込みを防止することができるので、巻き取り後、記録媒体の容積増大や、記録媒体の両端部が揃わない、といった不具合を解消することができる。
【符号の説明】
【００５４】
１・・・コンピューター、１０・・・画像形成装置、１１・・・供給ローラー、１２・・・ガイドレール、１３・・・搬送ローラー、１４・・・キャリッジ、１９・・・プラテン、３５・・・巻き取りローラー、１０５・・・インターフェイス、１１０・・・コントローラー、１１１・・・ＣＰＵ、１１２・・・ＲＯＭ、１１３・・・ＲＡＭ、１２０・・・入力操作ユニット、１３０・・・記録媒体搬送ユニット、１３５・・・巻き取りローラーユニット、１４０・・・キャリッジ駆動ユニット、１５０・・・ヘッドユニット、１３５・・・巻き取りローラーユニット、１６０・・・紫外線照射ユニット、１７０・・・穿孔ユニット
【図１】
2012196786.tif 000003
【図２】
2012196786.tif 000004
【図３】
2012196786.tif 000005
【図４】
2012196786.tif 000006
【図５】
2012196786.tif 000007
【図６】
2012196786.tif 000008
【図７】
2012196786.tif 000009